(57)【要約】【課題】簡易な変更で、訴求力の高い宣伝、広告を提示できる自動販売機を提案する。【解決手段】少なくとも内部に商品収納用の空間ＳＰを有しており、その前面側が開口１０ｃとなっている装置本体１０ｂと、前記開口を開閉可能に閉じる前扉１０ａとを備えた自動販売機１０であって、前記前扉１０ａの面積が、装置本体１０ｂの前面面積よりも大きく形成し、前扉１０ａが装置本体１０ｂより、食み出す拡大領域２０を宣伝・広告領域ＡＤとする。【選択図】図１
2013250626.tif 000002
【特許請求の範囲】
【請求項１】
少なくとも内部に商品収納用の空間を有しており、その前面側が開口となっている装置本体と、前記開口を開閉可能に閉じる前扉とを備えた自動販売機であって、
前記前扉の面積が、装置本体の前面面積よりも大きく形成してある、ことを特徴とする自動販売機。
【請求項２】
前記前扉と前記装置本体との幅寸法は同じであって、前記前扉の方が装置本体よりも縦寸法が長く、背が高くなるように形成してある、ことを特徴とする請求項１に記載の自動販売機。
【請求項３】
前記前扉が前記装置本体より、食み出す拡大領域を宣伝・広告領域としてある、ことを特徴とする請求項１または２に記載の自動販売機。
【請求項４】
前記前扉が前記装置本体に対して着脱可能に構成され、前記装置本体の前面面積と同じ面積である第２の前扉と交換可能に設定してある、ことを特徴とする請求項１から３のいずれかに記載の自動販売機。
【発明の詳細な説明】
【技術分野】
【０００１】
本発明は、ユーザに対して、訴求力の高い商品の宣伝や広告を行えるように工夫した自動販売機に関する。
【背景技術】
【０００２】
ユーザに商品を訴求するため、自動販売機を用いて宣伝、広告する技術が種々提案されている。従来から、前扉下側の空きスペースにポスターなどを設置して商品の宣伝、広告する自動販売機はよく知られている。
そして、近年にあっては、自動販売機の上に、商品を広告、宣伝するための電飾装置が載置される場合もある。また、このような技術に関連して、特許文献１は自動販売機用の化粧カバーを開示する。この化粧カバーは、接着層を備えて自動販売機のフロント面などに装着され、商品広告表示部はその表面に凸状に立体成形されている。これにより自動販売機に接する購買者（ユーザ）に強いインパクト、即ち訴求力のある広告等を提示できるようにしている。
【先行技術文献】
【特許文献】
【０００３】
【特許文献１】特開２０１２−３２９０５号公報
【発明の概要】
【発明が解決しようとする課題】
【０００４】
しかしながら、前述した、自動販売機上の電飾装置や特許文献１で開示する化粧カバーは、既存の自動販売機に設置できるように、後において設計し作製するものであるから、自動販売機に適用するためにこれらを購入するコストが別途に必要となる。
そして、自動販売機の上に電飾装置を載置したり、化粧カバーを装着したりする作業は、自動販売機の管理者に煩雑な作業である。
【０００５】
よって、本発明の目的は、簡易な変更で、訴求力の高い宣伝、広告を提示できる自動販売機を提案することにある。
【課題を解決するための手段】
【０００６】
上記目的は、少なくとも内部に商品収納用の空間を有しており、その前面側が開口となっている装置本体と、前記開口を開閉可能に閉じる前扉とを備えた自動販売機であって、
前記前扉の面積が、装置本体の前面面積よりも大きく形成してある、ことを特徴とする自動販売機により達成される。
【０００７】
また、前記前扉と前記装置本体との幅寸法は同じであって、前記前扉の方が装置本体よりも縦寸法が長く、背が高くなるように形成することができる。
【０００８】
そして、前記前扉が前記装置本体より、食み出す拡大領域を宣伝・広告領域とすることが望ましい。
【０００９】
更に、前記前扉が前記装置本体に対して着脱可能に構成され、前記装置本体の前面面積と同じ面積である第２の前扉と交換可能に設定してあるのが、より好ましい。
【発明の効果】
【００１０】
本発明によると、自動販売機の前扉が通常より大きく、すなわち装置本体の前面面積よりも大きく形成され、その拡大する領域を商品宣伝、広告に活用できるので、比較的簡易な変更で効果的な宣伝、広告を行える。このように、自動販売機の一部である前扉を変更して宣伝、広告に活用するので、自動販売機に別途に取付け作業など必要がなく、自動販売機設置時から商品の宣伝、広告を行える。そして、自動販売機の管理者が宣伝、広告用の装置を別に設置するような場合と比較すると、結果として低コストであり、設置、取外しなどの手間を要さず、効率的かつ経済的である自動販売機を提供できる。
【図面の簡単な説明】
【００１１】
【図１】本発明を適用した実施形態となる自動販売機について示した図である。
【図２】本発明を適用した他の実施形態となる自動販売機について示した図である。
【発明を実施するための形態】
【００１２】
以下、図面を参照して、本発明の実施形態を説明する。
図１は、本発明を適用した一実施形態となる、たばこ自動販売機１０について示した図で、図１（ａ）は自動販売機１０の正面図、図１（ｂ）は自動販売機１０の右側面図である。
この自動販売機１０は従来の自動販売機と同様の基本構造を備えている。すなわち、自動販売機１０の前扉１０ａには前面パネル１１が設けてある。この前面パネル１１の内側には複数のシガレットの商品見本ＳＡを提示する展示部１２が設けてある。また、商品選択のための選択指示ボタン１３が、各商品見本ＳＡに応じた位置で前面パネル１１に設置してある。
【００１３】
そして、この自動販売機１０も従来のたばこ自動販売機と同様、商品払出口１４および金銭処理部１５を備えている。前記金銭処理部１５は、コイン投入口、紙幣投入口、釣り銭返却レバー等を備えて構成してある。また、図中１６は釣り銭返却口であり、また１７は電子情報入出力装置（リーダ・ライタ）や金額表示器等を備えて構成された成人識別装置である。
【００１４】
そして、この自動販売機１０は、少なくとも内部に商品収納用の空間ＳＰを有しており、その前面側が開口１０ｃとなっている装置本体１０ｂと、装置本体の前面の開口１０ｃを開閉可能に閉じる前扉１０ａとを備えているという基本構成は、通常の自動販売機と同様である。
ここで、従来における一般的な自動販売機にあっては、その前扉は装置本体開口をちょうど閉じる大きさ、すなわち装置本体の前面面積とほぼ同じ面積に形成してあった。
しかしながら、この自動販売機１０の前扉１０ａは、図１（ｂ）で示すように、従来の自動販売機とは異なり、自動販売機の装置本体１０ｂよりも面積が大きく形成してある。なお、装置本体１０ｂに対する前扉１０ａは、従来と同様にしてヒンジ部（図示せず）などを用いて、開閉可能に設置してあればよい。
【００１５】
この自動販売機１０は、好適例として、前扉１０ａと装置本体１０ｂとは横寸法（図１（ａ）で左右の長さ）は略同じとされている。そして、縦寸法（図１（ａ）で上下の長さ）が前扉１０ａの方が装置本体１０ｂよりも長く、背が高くなるように形成してある。このように、前扉１０ａが縦長となり、上方へ食み出した拡大領域２０の分、前扉１０ａが装置本体１０ｂの面積よりも大きくなる。
【００１６】
本願発明に係る自動販売機１０は、上記のように前扉１０ａに食み出した拡大領域２０を意図的に形成して、これを宣伝・広告領域ＡＤとしてある。このように、前扉１０ａに追加した拡大領域を宣伝、広告領域に活用すると、それ以前の自動販売機における配置構成に与える影響を抑えることができる。
前扉を大きくしたことに応じて前扉に配置された構成部の配置を変更すると、煩雑な設計変更が必要となる。そこで、このような大掛かりな変更は行わず、食み出すことになる拡大領域をそのまま宣伝、広告に活用した形態が好ましい。すなわち、自動販売機の前面パネルの商品見本や選択ボタンの配置などの変更を加えず、従前よりも拡大した領域にて商品の宣伝、広告を行うのが好ましい。
【００１７】
よって、図１では前扉１０ａの上部側を上へ食み出した拡大領域２０を設け、この拡大領域２０を宣伝・広告領域ＡＤとした例を示している。しかしながら、拡大領域２０の用い方は、これのような提示形態に限る必要はない。
たとえば、従来にあっては、前扉の上部を宣伝、広告用領域としてある自動販売機があった。このような自動販売機に、本願発明を適用することを考慮した場合、図２で示すように前扉の上部の宣伝、広告用領域自体を、上方へ拡大させて大きな宣伝、広告領域を確保した形態に変更してもよい。このような自動販売機であれば、自動販売機の上部に宣伝、広告用に大きなスペースを確保できるので、インパクトのある宣伝、広告を行って、ユーザに商品を訴求できる。
【００１８】
上記した宣伝、広告用の領域は、ポスターや商品ダミーなどを展示、収納できる展示スペースとして設定してもよいが、商品を宣伝する電飾装置や画像表示が可能な表示装置等の電気的な宣伝、広告装置を配設するのが好ましい。
この場合、自動販売機本体に設置してある商品販売の制御用コントローラを流用して、上記宣伝、広告装置を駆動制御すればよい。このようなコントローラは、ＣＰＵを中心に構成したマイクロコンピュータ等である。コントローラはＣＰＵなどと共に、メモリを備えている。このメモリに宣伝、広告装置を制御するためのプログラムやたばこに係る広告等の画像データなどを格納しておき、必要なプログラムおよびデータを駆動して、宣伝・広告の提示をすればよい。
【００１９】
なお、本発明に係る自動販売機は、前扉を自動販売機の装置本体と比較して、大きな面積とし、拡大した領域を宣伝、広告に活用しようというアイデアである。よって、実施形態は図１、図２で示した、前扉を装置本体よりも上方へ拡大させる形態に限らない。すなわち、必要により装置本体より縦（高さ）および幅が長い、前扉を備える自動販売機としてもよい。また、装置本体と縦（高さ）が同じで、幅が広い前扉を備える自動販売機としてもよい。
【００２０】
そして、前述した大きな前扉１０ａは前記装置本体１０ｂに対して着脱可能に構成され、前扉１０ａが装置本体１０ｂの前面面積と同じ面積である第２の前扉（通常の大きさの前扉）と交換可能に設定してあるのが更に好ましい。このような自動販売機であれば、適宜に、前扉を交換して従来と同様の自動販売機に変更することもできる。
【００２１】
以上で説明した本発明の自動販売機は、前扉に設けた拡大領域を商品宣伝、広告に活用するので、比較的簡易な変更で効果的な宣伝、広告を行える。自動販売機の一部である前扉を変更して宣伝、広告に活用するので、自動販売機に別途に取付け作業など必要がなく、自動販売機設置時から商品の宣伝、広告を行える。更に、自動販売機の管理者が従来のように、宣伝、広告用の装置を別に設置するような場合と比較すると、結果として、低コストであり、設置、取外しなどの手間を要さず、効率的かつ経済的である自動販売機を提供できる。
【００２２】
以上、本発明をたばこの自動販売機について適用する場合を詳細に説明したが、本発明は前述した実施例による説明で限定されない。すなわち、本発明はその要旨を逸脱しない範囲で種々変更して実施することができる。本発明が飲料やその他の商品を販売する自動販売機に適用できることは言うまでもない。
【符号の説明】
【００２３】
１０                    自動販売機
１０ａ                  前扉
１０ｂ                  装置本体
１０ｃ                  開口
１１                    前面パネル
２０                    拡大領域
ＳＡ                    商品見本
ＡＤ                    宣伝・広告領域
【図１】
2013250626.tif 000003
【図２】
2013250626.tif 000004